(57)【要約】【課題】ハウジングの小型化を図ることができるトリガースイッチを提供すること。【解決手段】収容部を有するハウジング（１０）と、ハウジング（１０）に対して接近および開離可能に連結されたトリガー（２０）と、収容部内に設けられた接点機構部と、ハウジング（１０）の外部から収容部まで延びている板状の第１端子（３０）と、ハウジング（１０）の外部から収容部まで延びていると共に第１端子（３０）と板面同士が対向するように並列に配置された板状の第２端子（４０）とを備える。ハウジング（１０）の外部に位置する第１端子（３０）の端部に、第１電線の導体部を接続可能な第１電線接続部（３１）が設けられ、ハウジング（１０）の外部に位置する第２端子（４０）の端部に、第２電線の導体部を接続可能な第２電線接続部（４１）が設けられている。【選択図】図１
2018152295.tif 000002
【特許請求の範囲】
【請求項１】
内部に収容部を有するハウジングと、
前記ハウジングの外部に設けられ、前記ハウジングに対して接近および開離可能に連結されたトリガーと、
収容部内に設けられた固定接点と、前記収容部内で前記固定接点に対向するように設けられていると共に、前記ハウジングに対する前記トリガーの接近動作および開離動作に連動して前記固定接点に接触および開離する可動接点とを有する接点機構部と、
前記ハウジングに固定され、前記ハウジングの外部から前記収容部まで延びていると共に、前記接点機構部に電気的に接続されている板状の第１端子と、
前記ハウジングに固定され、前記ハウジングの外部から前記収容部まで延びていると共に、前記第１端子と板面同士が対向するように並列に配置され、前記接点機構部に電気的に接続された板状の第２端子と
を備え、
前記第１端子の延在方向における前記ハウジングの外部に位置する前記第１端子の端部に、第１電線の導体部を接続可能な第１電線接続部が設けられ、前記第２端子の延在方向における前記ハウジングの外部に位置する前記第２端子の端部に、第２電線の導体部を接続可能な第２電線接続部が設けられている、トリガースイッチ。
【請求項２】
前記第１電線接続部を収容する第１収容部と前記第２電線接続部を収容する第２収容部を有する絶縁性の端子カバー部材部材を前記ハウジングの外部にさらに備え、
前記端子カバー部材が、
前記第１端子および前記第２端子の延在方向に延びて前記第１収容部および前記第２収容部を仕切ることにより前記第１収容部と前記第２収容部とを電気的に絶縁する仕切壁部と、
前記仕切壁部に交差する方向に延びて、前記第１電線接続部および前記第２電線接続部をそれぞれ挿入可能な端子挿入面と、
前記端子挿入面に対向して配置されていると共に、前記第１電線の導体部および前記第２電線の導体部をそれぞれ接続可能な電線接続面と、
前記仕切壁部に対向していると共に、前記端子挿入面から挿入された前記第１端子を支持する第１側壁部と、
前記電線接続面に沿って延びていると共に、前記端子挿入面から挿入された前記第１電線接続部を支持すると共に位置決めする第１支持壁部と、
前記仕切壁部に対向しかつ前記仕切壁部に対して前記第１側壁部とは反対側に配置されていると共に、前記端子挿入面から挿入された前記第２端子を支持する第２側壁部と、
前記電線接続面に沿って延びかつ前記仕切壁部に対して前記第１支持壁部とは反対側に配置されているていると共に、前記端子挿入面から挿入された前記第２電線接続部を支持すると共に位置決めする第２支持壁部と
を有する、請求項１に記載のトリガースイッチ。
【請求項３】
前記端子カバー部材が、
前記端子挿入面から前記第１端子の板面沿いに前記ハウジングに向かって延びて、前記第１端子を支持する第１端子支持壁と、
前記端子挿入面から前記第２端子の板面沿いに前記ハウジングに向かって延びて、前記第２端子を支持する第２端子支持壁と
を有する、請求項２に記載のトリガースイッチ。
【請求項４】
前記第１端子支持壁が、前記第１端子の板厚方向の両側にそれぞれ設けられていると共に、前記第２端子支持壁が、前記第２端子の板厚方向の両側にそれぞれ設けられている、請求項３に記載のトリガースイッチ。
【請求項５】
前記第１端子および前記第２端子に対して、前記端子カバー部材を位置決めしつつ着脱可能に取り付け可能なスナップフィット部を備え、
前記スナップフィット部が、前記第１端子および前記第２端子の前記ハウジングの外部に位置する端部にそれぞれ設けられた一対の係合爪部と、前記端子カバー部材に設けられかつ前記係合爪部を係止可能な一対の係合孔とで構成されている、請求項２から４のいずれか１つに記載のトリガースイッチ。
【発明の詳細な説明】
【技術分野】
【０００１】
本発明は、トリガースイッチに関する。
【背景技術】
【０００２】
特許文献１に開示されているトリガースイッチは、ハウジングと、ハウジングの外部に設けられかつハウジングに対して接近および開離可能に連結されたトリガーと、ハウジングの内部に設けられ、ハウジングに対するトリガーの接近動作および開離動作に連動して作動する接点機構部と、接点機構に電気的に接続された一対のねじ式の電源接続端子とを備えている。
【０００３】
前記トリガースイッチでは、各電源接続端子は、ハウジングに設けられていると共に、ハウジングの外面上に固定されて電線が接続される接続部と、ハウジングの内部に配置されて接点機構部に接続された端子部とで構成されている。
【先行技術文献】
【特許文献】
【０００４】
【特許文献１】特許４９４１０４８号公報
【発明の概要】
【発明が解決しようとする課題】
【０００５】
近年、電動ドライバーなどの電動具の小型軽量化に伴って、特に、電動具に使用されるトリガースイッチのハウジングの収容スペースが制限される場合が増えている。しかし、前記トリガースイッチでは、一対の電源接続端子がハウジングに設けられているので、ハウジングの小型化を図るのが難しく、電動具の小型軽量化に対応できない場合がある。
【０００６】
そこで、本発明は、ハウジングの小型化を図ることができるトリガースイッチを提供することを課題とする。
【課題を解決するための手段】
【０００７】
本発明の一態様のトリガースイッチは、
内部に収容部を有するハウジングと、
前記ハウジングの外部に設けられ、前記ハウジングに対して接近および開離可能に連結されたトリガーと、
収容部内に設けられた固定接点と、前記収容部内で前記固定接点に対向するように設けられていると共に、前記ハウジングに対する前記トリガーの接近動作および開離動作に連動して前記固定接点に接触および開離する可動接点とを有する接点機構部と、
前記ハウジングに固定され、前記ハウジングの外部から前記収容部まで延びていると共に、前記接点機構部に電気的に接続されている板状の第１端子と、
前記ハウジングに固定され、前記ハウジングの外部から前記収容部まで延びていると共に、前記第１端子と板面同士が対向するように並列に配置され、前記接点機構部に電気的に接続された板状の第２端子と
を備え、
前記第１端子の延在方向における前記ハウジングの外部に位置する前記第１端子の端部に、第１電線の導体部を接続可能な第１電線接続部が設けられ、前記第２端子の延在方向における前記ハウジングの外部に位置する前記第２端子の端部に、第２電線の導体部を接続可能な第２電線接続部が設けられている。
【発明の効果】
【０００８】
前記態様のトリガースイッチによれば、第１端子の延在方向におけるハウジングの外部に位置する第１端子の端部に、第１電線の導体部を接続可能な第１電線接続部が設けられ、第２端子の延在方向におけるハウジングの外部に位置する第２端子の端部に、第２電線の導体部を接続可能な第２電線接続部が設けられている。これにより、例えば、ハウジングに電線接続部が設けられているトリガースイッチと比べて、ハウジングで電線接続部が占めるスペースを省略してハウジングの小型化を図ることができ、電動具の小型軽量化に対応できる。
【図面の簡単な説明】
【０００９】
【図１】本発明の一実施形態のトリガースイッチの斜視図。
【図２】図１のトリガースイッチの第１電線接続部および第２電線接続部に圧着端子を取り付けた状態を示す斜視図。
【図３】図１のトリガースイッチの復帰状態を説明するための模式図。
【図４】図１のトリガースイッチの動作状態を説明するための模式図。
【図５】図１のトリガースイッチの端子カバー部材の斜視図。
【図６】図１のトリガースイッチの端子カバー部材の図５とは異なる方向から見た斜視図。
【図７】図１のトリガースイッチの端子カバー部材の周辺における図１とは異なる方向から見た部分拡大斜視図。
【発明を実施するための形態】
【００１０】
以下、本発明の一実施形態を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００１１】
本発明の一実施形態のトリガースイッチ１は、図１に示すように、絶縁性のハウジング１０、絶縁性のトリガー２０、導電性の第１端子３０、および、導電性の第２端子４０を備えている。
【００１２】
第１端子３０および第２端子４０は、それぞれ、ハウジング１０の下端部（図１の下端部）から下方（図１の下向き）に延びている。第１端子３０が延びる方向（延在方向）におけるハウジング１０の外部に位置する第１端子３０の先端部に第１電線接続部３１が設けられ、第２端子４０が延びる方向におけるハウジング１０の外部に位置する第２端子４０の先端部に第２電線接続部４１が設けられている。
【００１３】
この実施形態では、一例として、第１電線接続部３１および第２電線接続部４１は、箱形状を有する絶縁性の端子カバー部材５０に収容されており、図２に示すように、圧着端子６１がねじ６２で固定されるようになっている。第１電線接続部３１および第２電線接続部４１は、それぞれ、圧着端子６１を介して第１電線の導体部６４および第２電線の導体部６５に接続される。
【００１４】
また、ハウジング１０の内部には、図３および図４に示すように、収容部１１が設けられており、この収容部１１内には、第１端子３０および第２端子４０と電気的に接続された接点機構部２が設けられている。
【００１５】
ハウジング１０は、図１に示すように、略直方体の箱状を有している。また、ハウジング１０の外部には、ハウジング１０に対して接近および開離可能に連結されたトリガー２０が配置されている。
【００１６】
接点機構部２は、図３および図４に示すように、固定接点１２と可動接点１３とを有している。なお、図３および図４は、ハウジング１０の一部を取り除いた状態のトリガースイッチ１を模式的に示している。また、図３は、固定接点１２と可動接点１３とが開離した復帰状態のトリガースイッチ１を示し、図４は、固定接点１２と可動接点１３とが接触した動作状態のトリガースイッチ１を示している。
【００１７】
固定接点１２は、収容部１１の内部で導電性の第１端子３０に固定され、第１端子３０に電気的に接続されている。
【００１８】
第１端子３０は、ハウジング１０の外部から収容部１１まで延びている板状の第１端子本体３０１と、この第１端子本体３０１に設けられた第１電線接続部３１とを有し、第１端子本体３０１が、トリガー２０がハウジング１０に対して接近および開離する接離方向（図３および図４の左右方向）において、ハウジング１０の下側（図３および図４のＺ方向下側）の壁部１０１のトリガー２０から遠い方の端部に固定されている。
【００１９】
第１電線接続部３１は、図１に示すように、第１端子本体３０１の板幅方向（図１のＹ方向）沿い平面視において、略正方形状を有し、その中央に図２に示すねじ６２を挿入可能な円形状の貫通孔３２が設けられている。この第１電線接続部３１は、第１端子本体３０１のハウジング１０の外部に位置する端部３０２の板幅方向に対向する一対の第１側面３０３および第２側面３０４のうちの一方の第１側面３０３（図１のＹ方向左側の面）に配置され、第１端子本体３０１の板面に対して交差（略直交）しかつ第２端子４０に接近する方向に延びている。
【００２０】
可動接点１３は、収容部１１の内部で可動接触片１４に固定され、可動接触片１４を介して導電性の第２端子４０に電気的に接続されている。可動接点１３は、固定接点１２に対向しかつ固定接点１２に対して接触および開離可能に配置されている。
【００２１】
可動接触片１４は、トリガー２０の接離方向に延びる長尺の薄板形状を有し、その長手方向の中間部で支持部１５に回動可能に支持されている。支持部１５は、トリガー２０の接離方向におけるハウジング１０の壁部１０１の略中央に設けられている。可動接触片１４の長手方向の一端部（図３および図４の左側端部）には、可動接点１３が固定されている。また、可動接触片１４の長手方向の他端部（図３および図４の右側端部）は第２端子４０と接触している。
【００２２】
第２端子４０は、ハウジング１０の外部から収容部１１まで延びている板状の第２端子本体４０１と、この第２端子本体４０１に設けられた第２電線接続部４１とを有し、第２端子本体４０１が、トリガー２０の接離方向において、ハウジング１０の下側の壁部１０１のトリガー２０に近い方の端部に固定され、第１端子３０に対して電気的に独立している。また、第２端子本体４０１は、第１端子本体３０１と板面同士が対向するように並列に配置されている。
【００２３】
第２電線接続部４１は、図１に示すように、第２端子本体４０１の板幅方向（図１のＹ方向）沿い平面視において、略正方形状を有し、その中央に図２に示すねじ６２を挿入可能な円形状の貫通孔４２が設けられている。この第２電線接続部４１は、第２端子本体４０１のハウジング１０の外部に位置する端部４０２の板幅方向に対向する一対の第１側面４０３および第２側面４０４のうちの一方の第１側面４０３（図１のＹ方向左側の面）に配置され、第２端子本体４０１の板面に対して交差（略直交）しかつ第１端子３０に接近する方向に延びている。
【００２４】
トリガー２０は、図３および図４に示すように、ハウジング１０の短手方向（図３および図４の左右方向）の一側に配置され、使用者が指で操作する操作体２１と、この操作体２１のハウジング１０に対向する面からハウジング１０に向かってハウジング１０の内部まで延びている操作軸２２とを有している。
【００２５】
操作体２１は、トリガー２０の接離方向におけるハウジング１０から遠い方の面に湾曲面２１１（図１に示す）を有しており、使用者の指により操作体２１を操作し易くしている。
【００２６】
操作軸２２は、図３および図４に示すように、その延在方向（図３および図４の左右方向）の一端部がハウジング１０の外部で操作体２１に連結されている一方、その延在方向の他端部がハウジング１０の収容部１１の内部でハウジング１０に移動可能に連結されている。操作軸２２の延在方向の他端部には、トリガー２０をハウジング１０から開離させる方向に操作軸２２を付勢する復帰ばね２３が設けられている。
【００２７】
また、操作軸２２には、収容部１１の内部で操作軸２２からハウジング１０の壁部１０１に向かって延びるプランジャ２４が設けられている。このプランジャ２４は、トリガー２０の移動に連動して、その先端（図３および図４の下端）が、可動接触片１４に接触可能に配置されている。
【００２８】
すなわち、可動接点１３は、トリガー２０の接近動作および開離動作に対して、次のように連動して、固定接点１２に対して接触および開離する。
【００２９】
図３に示す復帰状態のトリガースイッチ１のトリガー２０の操作体２１を操作して、トリガー２０をハウジング１０に接近させると、トリガー２０のハウジング１０に対する接近方向への移動（接近動作）に連動して、プランジャ２４が、支持部１５よりも第１端子３０側で可動接触片１４に接触して、可動接触片１４を可動接触片１４の回動軸方向（図３および図４の紙面貫通方向）に沿った平面視において反時計回りに回動させる。これにより、可動接点１３が、ハウジング１０の下側の壁部１０１に接近して固定接点１２に接触し、図４に示す動作状態となる。
【００３０】
図４に示す動作状態のトリガースイッチ１のトリガー２０の操作体２１から指を離すと、復帰ばね２３により操作軸２２が、トリガー２０をハウジング１０から開離させる方向に付勢され、トリガー２０がハウジング１０から開離する方向に移動する。このトリガー２０のハウジング１０に対する開離方向への移動（開離動作）に連動して、プランジャ２４が、支持部１５に対する第２端子４０側で可動接触片１４に接触して、可動接触片１４を可動接触片１４の回動軸方向に沿った平面視において時計回りに回動させる。これにより、可動接点１３が，ハウジング１０の下側の壁部１０１から離れて可動接点１３が固定接点１２から開離し、図３に示す復帰状態となる。
【００３１】
端子カバー部材５０は、図５および図６に示すように、略直方体状で、その内部に、第１電線接続部３１を収容する第１収容部５１と、第２電線接続部４１を収容する第２収容部５２とを有している。なお、図５では、第１収容部５１および第２収容部５２の内部にそれぞれ収容されて、図２に示すねじ６２と共に第１電線接続部３１および第２電線接続部４１に圧着端子６１を固定するナット６３を示している。
【００３２】
詳しくは、端子カバー部材５０は、第１収容部５１および第２収容部５２を仕切ることにより第１収容部５１と第２収容部５２とを電気的に絶縁する仕切壁部５３と、この仕切壁部５３に交差（略直交）する方向に延びる端子挿入面５４および電線接続面５５と、仕切壁部５３に対向して配置されている第１側壁部５６および第２側壁部５７とを有している。第２側壁部５７は、仕切壁部５３に対して第１側壁部５６とは反対側に配置されている。
【００３３】
仕切壁部５３は、第１端子本体３０１および第２端子本体４０１の延在方向に延びており、この仕切壁部５３の延在方向（図５および図６の上下方向）に沿って見たときに、端子カバー部材５０の長手方向における中央部に設けられている。
【００３４】
端子挿入面５４は、仕切壁部５３の延在方向におけるハウジング１０に近い方の端部（図５の上側）に接続され、図５に示すように、矩形状を有している。この端子挿入面５４は、第１電線接続部３１を挿入可能な第１端子挿入開口部５４１と、第２電線接続部４１を挿入可能な第２端子挿入開口部５４２とを有している。
【００３５】
第１端子挿入開口部５４１および第２端子挿入開口部５４２の各々は、端子挿入面５４の長手方向および短手方向に沿ってそれぞれ延びるＬ字形状を有しており、仕切壁部５３に対して対称に配置されている。第１端子挿入開口部５４１の端子挿入面５４の長手方向に延びる部分には、第１端子本体３０１が挿入可能になっており、第１端子挿入開口部５４１の端子挿入面５４の短手方向に延びる部分には、第１電線接続部３１が挿入可能になっている。同様に、第２端子挿入開口部５４２の端子挿入面５４の長手方向に延びる部分には、第２端子本体４０１が挿入可能になっており、第２端子挿入開口部５４２の端子挿入面５４の短手方向に延びる部分には、第２電線接続部４１が挿入可能になっている。すなわち、端子挿入面５４は、仕切壁部５３に交差する方向に延びて、第１電線接続部３１が第１収容部５１に挿入可能かつ第２電線接続部４１が第２収容部５２に挿入可能に構成されている。
【００３６】
電線接続面５５は、仕切壁部５３の延在方向におけるハウジング１０から遠い方の端部（図５の下側）に接続され、図６に示すように、矩形状を有している。この電線接続面５５は、第１電線の導体部６４を挿入可能な第１電線挿入開口部５５１と、第２電線の導体部６５を挿入可能な第２電線挿入開口部５５２とを有している。すなわち、電線接続面５５は、仕切壁部５３に交差する方向に延びかつ端子挿入面５４に対向して配置されていると共に、第１電線の導体部６４を第１電線接続部３１に接続可能かつ第２電線の導体部６５を第２電線接続部４１に接続可能に構成されている。
【００３７】
第１電線接続開口部５５１および第２電線接続開口部５５２の各々は、端子挿入面５４の長手方向および短手方向に沿ってそれぞれ延びるＬ字形状を有しており、仕切壁部５３に対して対称に配置されている。
【００３８】
なお、第１電線接続開口部５５１は、その一部が後述する第１支持壁部５８で構成されており、第１端子挿入開口部５４１から第１収容部５１の内部に挿入された第１端子本体３０１および第１電線接続部３１が、電線接続面５５を突き抜けて端子カバー部材５０の外部にまで移動しないように構成されている。同様に、第２電線接続開口部５５２は、その一部が後述する第２支持壁部５９で構成されており、第２端子挿入開口部５４２から第２収容部５２の内部に挿入された第２端子本体４０１および第２電線接続部４１が、電線接続面５５を突き抜けて端子カバー部材５０の外部にまで移動しないように構成されている。
【００３９】
第１側壁部５６は、端子挿入面５４の第１端子挿入開口部５４１から第１収容部５１に挿入された第１端子本体３０１の一対の板面のうち、第２端子本体４０１に対向していない外側の板面を支持しつつ端子挿入面５４に交差する方向に沿って案内する。
【００４０】
第２側壁部５７は、端子挿入面５４の第２端子挿入開口部５４２から第２収容部５２に挿入された第２端子本体４０１の一対の板面のうち、第１端子本体３０１に対向していない外側の板面を支持しつつ端子挿入面５４に交差する方向に沿って案内する。
【００４１】
また、電線接続面５５には、各々が電線接続面５５に沿って延びている第１支持壁部５８および第２支持壁部５９が設けられている。第２支持壁部５９は、仕切壁部５３に対して第１支持壁部５８とは反対側に配置されている。
【００４２】
第１支持壁部５８は、第１電線接続開口部５５１の一部を構成していると共に、端子挿入面５４の第１端子挿入開口部５４１から第１収容部５１に挿入された第１端子本体３０１の先端部および第１電線接続部３１の先端部と、第１収容部５１の内部で接触可能に設けられている。すなわち、第１端子挿入開口部５４１から挿入された第１端子本体３０１および第１電線接続部３１は、第１収容部５１の内部で第１支持壁部５８により支持されると共に位置決めされる。
【００４３】
第２支持壁部５９は、第２電線接続開口部５５２の一部を構成していると共に、端子挿入面５４の第２端子挿入開口部５４２から第２収容部５２に挿入された第２端子本体４０１の先端部および第２電線接続部４１の先端部と、第２収容部５２の内部で接触可能に設けられている。すなわち、第２端子挿入開口部５４２から挿入された第２端子本体４０１および第２電線接続部４１は、第２収容部５２の内部で第２支持壁部５９により支持されると共に位置決めされる。
【００４４】
前記トリガースイッチ１では、第１端子３０の延在方向におけるハウジング１０の外部に位置する第１端子３０の端部３０２に、第１電線の導体部６４を接続可能な第１電線接続部３１が設けられ、第２端子４０の延在方向におけるハウジングの外部に位置する第２端子４０の端部４０２に、第２電線の導体部６５を接続可能な第２電線接続部４１が設けられている。これにより、例えば、ハウジングに電線接続部が設けられているトリガースイッチと比べて、ハウジングで電線接続部が占めるスペースを省略してハウジング１０の小型化を図ることができ、電動具の小型軽量化に対応できる。
【００４５】
また、第１電線接続部３１を収容する第１収容部５１と第２電線接続部４１を収容する第２収容部５２を有する絶縁性の端子カバー部材５０をさらに備えている。これにより、簡単な構成で、第１電線接続部３１および第２電線背宇属部４１をハウジング１０の外部に配置しても、第１電線接続部３１および第２電線接続部４１を確実かつ信頼性高く絶縁できる。
【００４６】
また、図５に示すように、端子カバー部材５０は、端子挿入面５４から第１端子本体３０１の板面沿いにハウジング１０に向かって延びて、第１端子本体３０１を支持する一対の第１端子支持壁５４３と、端子挿入面５４から第２端子本体４０１の板面沿いにハウジング１０に向かって延びて、第２端子本体４０１を支持する一対の第２端子支持壁５４５とを有している。一対の第１端子支持壁５４３は、第１端子本体３０１の第２側面３０４（図１のＹ方向右側の面）に対向して支持する第１接続壁部５４４により、接続されている。また、一対の第２端子支持壁５４５は、第２端子本体４０１の第２側面４０４（図１のＹ方向右側の面）に対向して支持する第２接続壁部５４６により、接続されている。
【００４７】
すなわち、図１に示すように、一対の第１端子支持壁５４３は、第１端子本体３０１の板厚方向の両側にそれぞれ設けられて、ハウジング１０の外部かつ端子カバー部材５０の外部に位置する第１端子本体３０１における端子カバー部材５０側の基部３０５を支持している。また、一対の第２端子支持壁５４５は、第２端子本体４０１の板厚方向の両側にそれぞれ設けられて、ハウジング１０の外部かつ端子カバー部材５０の外部に位置する第２端子本体４０１における端子カバー部材５０側の基部４０５を支持している。各基部３０５、４０５は、応力が集中し易く、このように一対の第１端子支持壁５４３および一対の第２端子支持壁５４５で支持することにより、各貴部３０５、４０５が補強され、トリガースイッチ１の寿命を延ばすことができる。
【００４８】
また、図７に示すように、トリガースイッチ１は、第１端子３０および第２端子４０に対して、端子カバー部材５０を位置決めしつつ着脱可能に取り付け可能なスナップフィット部７０を備えている。このスナップフィット部７０は、一対の係合爪部７１（図７では一方のみ示す）と、端子カバー部材５０の第１側壁部５６および第２側壁部５７にそれぞれ設けられかつ対応する係合爪部７１を係止可能な一対の係合孔７２とで構成されている。
【００４９】
一対の係合爪部７１は、第１端子本体３０１および第２端子本体４０１のハウジング１０の外部に位置する端部３０２、４０２における外側の板面（すなわち、第１端子本体３０１の第１側壁部５６に対向する面および第２端子本体４０１の第２側壁部５７に対向する面）にそれぞれ設けられている。第１端子本体３０１の係合爪部７１は、第１電線接続部３１が第１収容部５１に収容された状態で、対向する第１側壁部５６の係合孔７２に係合可能に配置され、第２端子本体４０１の係合爪部７１は、第２電線接続部４１が第２収容部５２に収容された状態で、対向する第２側壁部５７の係合孔７２に係合可能に配置されている。
【００５０】
このように、スナップフィット部７０により、第１端子３０および第２端子４０に対して、端子カバー部材５０を着脱自在に取り付けることができるので、トリガースイッチ１の組立が容易になり、トリガースイッチ１の生産性を向上させることができる。
【００５１】
なお、端子カバー部材５０は、可能ならば、省略しても構わない。
【００５２】
また、一対の第１端子支持壁５４３はおよび一対の第２端子支持壁５４５は、いずれか一方のみ設けてもよい。
【００５３】
また、端子カバー部材５０は、スナップフィット部７０により第１端子３０および第２端子４０に取り付けられる場合に限らない。端子カバー部材５０の第１端子３０および第２端子４０への取り付け構造は、着脱可能であるか否かを含めて、トリガースイッチの設計等に応じて任意の構造を採用できる。
【００５４】
以上、図面を参照して本発明における種々の実施形態を詳細に説明したが、最後に、本発明の種々の態様について説明する。
【００５５】
本発明の第１態様のトリガースイッチは、
内部に収容部を有するハウジングと、
前記ハウジングの外部に設けられ、前記ハウジングに対して接近および開離可能に連結されたトリガーと、
収容部内に設けられた固定接点と、前記収容部内で前記固定接点に対向するように設けられていると共に、前記ハウジングに対する前記トリガーの接近動作および開離動作に連動して前記固定接点に接触および開離する可動接点とを有する接点機構部と、
前記ハウジングに固定され、前記ハウジングの外部から前記収容部まで延びていると共に、前記接点機構部に電気的に接続されている板状の第１端子と、
前記ハウジングに固定され、前記ハウジングの外部から前記収容部まで延びていると共に、前記第１端子と板面同士が対向するように並列に配置され、前記接点機構部に電気的に接続された板状の第２端子と
を備え、
前記第１端子の延在方向における前記ハウジングの外部に位置する前記第１端子の端部に、第１電線の導体部を接続可能な第１電線接続部が設けられ、前記第２端子の延在方向における前記ハウジングの外部に位置する前記第２端子の端部に、第２電線の導体部を接続可能な第２電線接続部が設けられている。
【００５６】
第１態様のトリガースイッチによれば、例えば、ハウジングに電線接続部が設けられているトリガースイッチと比べて、ハウジングの小型化を図ることができ、電動具の小型軽量化に対応できる。
【００５７】
本発明の第２態様のトリガースイッチは、
前記第１電線接続部を収容する第１収容部と前記第２電線接続部を収容する第２収容部を有する絶縁性の端子カバー部材をハウジングの外部にさらに備え、
前記端子カバー部材が、
前記第１端子および前記第２端子の延在方向に延びて前記第１収容部および前記第２収容部を仕切ることにより前記第１収容部と前記第２収容部とを電気的に絶縁する仕切壁部と、
前記仕切壁部に交差する方向に延びて、前記第１電線接続部および前記第２電線接続部をそれぞれ挿入可能な端子挿入面と、
前記端子挿入面に対向して配置されていると共に、前記第１電線の導体部および前記第２電線の導体部をそれぞれ接続可能な電線接続面と、
前記仕切壁部に対向していると共に、前記端子挿入面から挿入された前記第１端子を支持する第１側壁部と、
前記電線接続面に沿って延びていると共に、前記端子挿入面から挿入された前記第１電線接続部を支持すると共に位置決めする第１支持壁部と、
前記仕切壁部に対向しかつ前記仕切壁部に対して前記第１側壁部とは反対側に配置されていると共に、前記端子挿入面から挿入された前記第２端子を支持する第２側壁部と、
前記電線接続面に沿って延びかつ前記仕切壁部に対して前記第１支持壁部とは反対側に配置されているていると共に、前記端子挿入面から挿入された前記第２電線接続部を支持すると共に位置決めする第２支持壁部と
を有する。
【００５８】
第２態様のトリガースイッチによれば、簡単な構成で、第１電線接続部および第２電線接続部を絶縁できて、第１電線接続部を第１電線の導体部に容易に接続でき、第２電線接続部を第２電線の導体部に容易に接続できる。
【００５９】
本発明の第３態様のトリガースイッチは、
前記端子カバー部材が、
前記電線接続面から前記第１端子の板面沿いに前記ハウジングに向かって延びて、前記第１端子を支持する第１端子支持壁と、
前記電線接続面から前記第２端子の板面沿いに前記ハウジングに向かって延びて、前記第２端子を支持する第２端子支持壁と
を有する。
【００６０】
第３態様のトリガースイッチによれば、第１端子および第２端子の応力が集中し易い部分を支持できるので、トリガースイッチの寿命を延ばすことができる。
【００６１】
本発明の第４態様のトリガースイッチは、
前記第１端子支持壁が、前記第１端子の板厚方向の両側にそれぞれ設けられていると共に、前記第２端子支持壁が、前記第２端子の板厚方向の両側にそれぞれ設けられている。
【００６２】
第４態様のトリガースイッチによれば、第１端子および第２端子の応力が集中し易い部分をより確実に支持できるので、トリガースイッチの寿命をより確実に延ばすことができる。
【００６３】
本発明の第５態様のトリガースイッチは、
前記第１端子および前記第２端子に対して、前記端子カバー部材を位置決めしつつ着脱可能に取り付け可能なスナップフィット部を備え、
前記スナップフィット部が、前記第１端子および前記第２端子の前記ハウジングの外部に位置する端部にそれぞれ設けられた一対の係合爪部と、前記端子カバー部材に設けられかつ前記係合爪部を係止可能な一対の係合孔とで構成されている。
【００６４】
第５態様のトリガースイッチによれば、トリガースイッチの組立が容易になり、トリガースイッチの生産性を向上させることができる。
【００６５】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００６６】
本発明のトリガースイッチは、例えば、電動ドライバーなどの電動工具に適用できる。
【符号の説明】
【００６７】
１  トリガースイッチ
２  接点機構部
１０  ハウジング
１０１  壁部
１１  収容部
１２  固定接点
１３  可動接点
１４  可動接触片
１５  支持部
２０  トリガー
２１  操作体
２１１  湾曲面
２２  操作軸
２３  復帰ばね
２４  プランジャ
３０  第１端子
３１  第１電線接続部
３２  貫通孔
３０１  第１端子本体
３０２  端部
３０３  第１側面
３０４  第２側面
３０５  基部
４０  第２端子
４０１  第２端子本体
４０２  端部
４０３  第１側面
４０４  第２側面
４０５  基部
５０  端子カバー部材
５１  第１収容部
５２  第２収容部
５３  仕切壁部
５４  端子挿入面
５４１  第１端子挿入開口部
５４２  第２端子挿入開口部
５４３  第１端子支持壁
５４４  第１接続壁部
５４５  第２端子支持壁
５４６  第２接続壁部
５５  電線接続面
５５１  第１電線接続開口部
５５２  第２電線接続開口部
５６  第１側壁部
５７  第２側壁部
５８  第１支持壁部
５９  第２支持壁部
６１  圧着端子
６２  ねじ
６３  ナット
６４、６５  導体部
７０  スナップフィット部
７１  係合爪部
７２  係合孔
【図１】
2018152295.tif 000003
【図２】
2018152295.tif 000004
【図３】
2018152295.tif 000005
【図４】
2018152295.tif 000006
【図５】
2018152295.tif 000007
【図６】
2018152295.tif 000008
【図７】
2018152295.tif 000009